(57)【要約】  真空溶接炉制御システムは、制御モジュールと搬送機構を含み、真空溶接炉は、溶接室を含み、溶接室の下部に溶接台が設置され、炉蓋が該上部に設置され、溶接室と炉蓋の間に溶接チャンバが形成され、制御モジュールの出力端は、搬送機構に連結され、負圧吸引モジュール、シールドガス導入管、加熱モジュール、及び冷却モジュールに連結され、溶接台の供給端、排出端に近接する側は、夫々加熱領域、冷却領域であり、負圧吸引モジュールは、加熱領域の冷却領域に近接する一端の上側に、炉蓋に昇降可能に設置され、該底部と加熱領域が囲み密閉した負圧チャンバを形成し、加熱モジュール、冷却モジュールは、加熱領域、冷却領域の内部に設置され、シールドガス導入管は、溶接室又は炉蓋に設置され、溶接室の内部と連通し、制御モジュールの出力端は、シールドガス導入管のスイッチに連結される。シートを搬送しながら加熱可能で、溶接速度が速く、酸化を回避する。【選択図】図１
2021507814.tif 000002
【特許請求の範囲】
【請求項１】
制御モジュールと搬送機構（２）とを含み、
真空溶接炉は、溶接室（１８）を含み、溶接室（１８）の下部に溶接台（２０）が設置され、炉蓋（４）が溶接台（２０）の上部を蓋合わせるように設置され、溶接室（１８）と炉蓋（４）との間には溶接チャンバが形成され、制御モジュールの出力端は、搬送機構（２）に連結され、
さらに、負圧吸引モジュール（９）と、シールドガス導入管と、加熱モジュールと、冷却モジュールとを含む真空溶接炉制御システムおいて、
制御モジュールの出力端は、負圧吸引モジュール（９）、加熱モジュール及び冷却モジュールにそれぞれ連結され、溶接台（２０）の供給端に近接する側は、加熱領域であり、溶接台（２０）の排出端に近接する側は、冷却領域であり、負圧吸引モジュール（９）は、加熱領域の冷却領域に近接する一端の上側に設置され、炉蓋（４）に昇降可能に設置され、負圧吸引モジュール（９）の底部と加熱領域とが囲み密閉した負圧チャンバを形成し、加熱モジュールは、加熱領域の内部に設置され、冷却モジュールは、冷却領域の内部に設置され、
シールドガス導入管は、溶接室（１８）又は炉蓋（４）に設置され、溶接室（１８）の内部と連通し、制御モジュールの出力端はシールドガス導入管のスイッチに連結される、
ことを特徴とする真空溶接炉制御システム。
【請求項２】
前記搬送機構（２）は、搬送バー（２４）と、溶接室（１８）の下側に設置された昇降機構、並進機構及び開閉機構とを含み、制御モジュールの出力端は、それぞれ昇降機構、並進機構及び開閉機構に連結され、搬送バー（２４）は、対称に２本設置され、且つその中央部が溶接室（１８）内に設置され、開閉機構は、同時に２本の搬送バー（２４）に連結し、その２本の搬送バーを開閉させるように駆動し、並進機構は、開閉機構に連結され、排出端に近接する又は離間する方向に沿ってその開閉機構を移動させるように駆動し、昇降機構は、並進機構に連結され、その並進機構を昇降させるように駆動し、各搬送バー（２４）のいずれにも複数の支持部が設けられ、溶接台（２０）の両端に複数の退避口が設けられ、退避口が支持部と１対１対応する、
ことを特徴とする請求項１に記載の真空溶接炉制御システム。
【請求項３】
前記溶接室（１８）の両端は、いずれもエンドカバー（２６）によって封止され、各エンドカバー（２６）の両側のいずれにも搬送口（２６０１）が対称に設置され、搬送バー（２４）は、搬送口（２６０１）を通過し開閉機構に連結され、エンドカバー（２６）の底部と溶接台（２０）とが間隔をおいて設置される、
ことを特徴とする請求項２に記載の真空溶接炉制御システム。
【請求項４】
前記溶接室（１８）の下側に搬送バー（２４）と１対１対応する搬送取付アーム（４５）が設けられ、搬送取付アーム（４５）の両端は、対応側の搬送バー（２４）の両端に連結され、開閉機構は、２つの搬送取付アーム（４５）に連結される、
ことを特徴とする請求項２に記載の真空溶接炉制御システム。
【請求項５】
前記開閉機構は、水平に設置された開閉案内板（４３）と開閉動力モジュールとを含み、開閉案内板（４３）は、２本の搬送バー（２４）の間に設置され、開閉案内板（４３）の両側のいずれにも排出端に近接する方向に沿って徐々に内側への傾斜状の開閉案内部が設けられ、各搬送バー（２４）の下側のいずれにも開閉案内部に貼り合わせられる開閉案内輪（４４）が取り付けられ、２本の搬送バー（２４）の間に引張状態の開閉バネが設けられ、開閉動力モジュールは、開閉案内板（４３）に連結され、制御モジュールの出力端は、開閉動力モジュールに連結され、開閉動力モジュールは、排出端に近接する又は離間する方向に沿って開閉案内板（４３）を移動させるように駆動する、
ことを特徴とする請求項２に記載の真空溶接炉制御システム。
【請求項６】
前記昇降機構は、昇降案内ブロック（４８）と搬送昇降シリンダ（４６）とを含み、昇降案内ブロック（４８）の上側に排出端に近接する方向に沿って徐々に下への傾斜状の昇降案内部が設置され、並進機構の下側に昇降案内部に貼り合わせられる昇降案内輪が取り付けられ、搬送昇降シリンダ（４６）のピストンロッドは、昇降案内ブロック（４８）に連結され、制御モジュールの出力端は、搬送昇降シリンダ（４６）に連結され、搬送昇降シリンダ（４６）は、排出端に近接する又は離間する方向に沿って昇降案内ブロック（４８）を移動させるように駆動する、
ことを特徴とする請求項２に記載の真空溶接炉制御システム。
【請求項７】
各エンドカバー（２６）の両側にバッフル板取付溝（２６０２）が対称に設置され、バッフル板取付溝（２６０２）の位置する平面は、搬送バー（２４）の中心線に垂直であり、バッフル板取付溝（２６０２）内にバッフル板（２７）が摺動するように取り付けられ、バッフル板（２７）は、搬送バー（２４）に摺動且つ密封するように連結され、バッフル板（２７）は、対応側のエンドカバー（２６）に連係され溶接室（１８）の端部を密封する、
ことを特徴とする請求項３に記載の真空溶接炉制御システム。
【請求項８】
前記溶接室（１８）の下側に搬送バー（２４）と１対１対応する搬送取付アーム（４５）が設けられ、搬送取付アーム（４５）の両端は、対応側の搬送バー（２４）の両端に連結され、開閉機構は、２つの搬送取付アーム（４５）に連結される、
ことを特徴とする請求項３に記載の真空溶接炉制御システム。
【請求項９】
前記加熱領域は、複数の加熱板（３０）を含み、前記冷却領域は、複数の冷却板（２８）を含む、
ことを特徴とする請求項１に記載の真空溶接炉制御システム。
【請求項１０】
各前記加熱板（３０）の両側のいずれにも電気加熱管（３１）を備える加熱モジュールが対称に設置され、加熱板（３０）の中央部にセンサ取付孔（３００３）が設置され、センサ取付孔（３００３）は、２つの電気加熱管（３１）の間に設置された止まり穴であり、センサ取付孔（３００３）内に温度センサ（３２）が取り付けられ、温度センサ（３２）は、制御モジュールの入力端に連結され、制御モジュールの出力端は、電気加熱管（３１）に連結される、
ことを特徴とする請求項９に記載の真空溶接炉制御システム。
【請求項１１】
前記冷却板（２８）の両側に給水通路（２８０２）を備える冷却モジュールが対称に設置され、冷却板（２８）の少なくとも一端に２つの給水通路（２８０２）と連通する排水通路（２８０３）が設置され、制御モジュールの出力端は、給水通路（２８０２）のスイッチに連結される、
ことを特徴とする請求項９に記載の真空溶接炉制御システム。
【請求項１２】
前記シールドガス導入管は、主窒素ガス導入管（５）と、副窒素ガス導入管（１６）とを含み、炉蓋（４）の両端のいずれにも主窒素ガス導入管（５）が設置され、炉蓋（４）の中央部の両側に副窒素ガス導入管（１６）が対称に設置され、主窒素ガス導入管（５）及び副窒素ガス導入管（１６）の排気端は、それぞれ溶接室（１８）と連通し、制御モジュールの出力端は、主窒素ガス導入管（５）及び副窒素ガス導入管（１６）のスイッチにそれぞれ連結される、
ことを特徴とする請求項１に記載の真空溶接炉制御システム。
【請求項１３】
前記炉蓋（４）の下部の両側に吸気板（１７）が対称に設置され、吸気板（１７）の上部に設けられる上側へ開口する吸気口（１７０１）が炉蓋（４）と囲み吸気チャンバを形成し、吸気板（１７）に吸気口（１７０１）と溶接室（１８）とを連通させる複数の噴気孔（１７０２）が間隔をおいて設置され、副窒素ガス導入管（１６）は、吸気口（１７０１）と連通する、
ことを特徴とする請求項１２に記載の真空溶接炉制御システム。
【請求項１４】
前記負圧吸引モジュール（９）は、密封板（３６）と負圧吸引昇降シリンダ（３５）とを含み、密封板（３６）は、加熱領域の上側に設置され、加熱領域と平行に設置され、密封板（３６）の底部と加熱領域とが密閉した負圧チャンバを形成し、負圧チャンバに負圧吸引管が連結され、制御モジュールの出力端は、負圧吸引管のスイッチ及び負圧吸引昇降シリンダ（３５）にそれぞれ連結される、
ことを特徴とする請求項１に記載の真空溶接炉制御システム。
【請求項１５】
前記密封板（３６）は、炉蓋（４）の下側に設置され、負圧吸引昇降シリンダ（３５）は、炉蓋（４）の上側に設置され、負圧吸引昇降シリンダ（３５）のピストンロッドは、連結管（３７）を介して密封板（３６）に連結され、連結管（３７）は、負圧チャンバと負圧吸引管とを連通し、制御モジュールの出力端は、ピストンロッドに連結される、
ことを特徴とする請求項１４に記載の真空溶接炉制御システム。
【請求項１６】
浄化モジュール（５９）をさらに含み、浄化モジュール（５９）の吸気端と排気端とのいずれも溶接室（１８）と連通する、
ことを特徴とする請求項１に記載の真空溶接炉制御システム。
【請求項１７】
前記浄化モジュール（５９）は、浄化箱（６１）と、浄化箱（６１）内に設置されたコイル（６７）及びストレーナ（６４）とを含み、吸気端と排気端とがそれぞれ浄化箱（６１）の両側に設置され、ストレーナ（６４）は、排気端に近接するように設置され、排気端を封止させ、コイル（６７）は、循環ポンプに連結され、循環ポンプを介してコイル（６７）内に循環するクーラントが充填され、浄化箱（６１）の排気端と溶接室（１８）との間にファン（６５）が設置され、制御モジュールの出力端は、ファン（６５）のモータ入力端及び循環ポンプのスイッチに連結される、
ことを特徴とする請求項１６に記載の真空溶接炉制御システム。
【請求項１８】
前記浄化モジュール（５９）は、浄化箱（６１）内に設置されたフィン（６８）をさらに含む、
ことを特徴とする請求項１７に記載の真空溶接炉制御システム。
【請求項１９】
前記溶接室（１８）の下側に貯液カバー（３３）が設置され、貯液カバー（３３）の底部の両側は、側部から中央部に徐々に下への傾斜状であり、貯液カバー（３３）の底部に貯液カバー排出管（３３０１）が設けられる、
ことを特徴とする請求項１に記載の真空溶接炉制御システム。
【請求項２０】
請求項１に記載の真空溶接炉制御システムの制御方法であって、
制御モジュールにより、炉蓋（４）が溶接室（１８）の上部を蓋合わせ、それを封止するように制御し、シールドガス導入管のスイッチをオンにさせ、溶接室（１８）内にシールドガスが充填されるように制御し、加熱領域がその上のシートを加熱するように制御し、冷却領域がその上のシートを冷却するように制御するステップ１００１と、
制御モジュールにより、搬送機構（２）が複数のシートを供給端から排出端の方向へ搬送し、毎回所定の距離を搬送するように制御するステップ１００２と、
搬送機構（２）が搬送操作を完了するたびに、負圧吸引モジュール（９）が降下し、加熱領域と囲み密閉した負圧チャンバを形成し、負圧チャンバに対し所定時間の負圧吸引又は真空吸引操作を行うように制御するステップ１００３と、
負圧吸引又は真空吸引操作を遂行した後、制御モジュールにより、搬送機構（２）が排出端へシートを搬送し続けるように制御するステップ１００４と、
を含む、
ことを特徴とする真空溶接炉制御システムの制御方法。
【発明の詳細な説明】
【技術分野】
【０００１】
真空溶接炉制御システム及びその制御方法であり、真空溶接技術分野に属する。
【背景技術】
【０００２】
ダイオード、トランジスタ、サイリスタ又はブリッジ等の電子部品を製造する際、トップシートとボトムシートとの間にチップを半田付けする必要があり、該プロセスは積層と呼ばれる。積層の具体的な作業プロセスは、以下の通りである。まず、ボトムシートの上側に半田ペーストを塗布し、チップをボトムシートの具体的な位置に置き、その後、下側に半田ペーストが塗布されたトップシートをボトムシートの上側に積み重ね、さらに、溶接金型のトップカバーを溶接金型の底板に蓋合わせ、最後に、溶接金型を溶接炉内に送り込んで溶接する。シートの溶接は、真空炉内で行う必要がある。
【０００３】
出願番号２０１４２０８２０４１８．２の中国実用新案特許は、連続型の真空溶接炉を開示し、使用過程において以下のような技術的課題がある。
【０００４】
（１）その機械テーブルに真空処理装置に連係する加熱領域が１つのみが設置され、半田ペーストを融解させて溶接効果を奏するためにシートを一定の温度に加熱する必要があり、シートの昇温は、移動の時間を必要とするため、加熱時間が長くなる。また、その加熱領域は、トップカバーに設置され、放射によってシートを加熱するため、伝熱効率が低く、さらにシートの加熱時間を長くし、その溶接効率を低下させてしまう。
【０００５】
（２）伝動機構がシートを搬送しやすくするために、シートの両端が支持台から伸出しなければならず、伝動機構は、シート両端の伸出部を介してシートを持ち上げて搬送する。加熱後のシートが柔らかいため、シート両端の伸出する部分は、下へ曲がる。よって、シート両端のチップの位置とシートの接点との位置合わせができず、大量の不良品が発生し、フォローアップも増加させてしまう。
【０００６】
（３）溶接後のシートの温度が高すぎ、冷却速度が遅く、真空処理装置から搬出されたシートは、酸化されやすい。また、機械テーブルから搬出されたシートの温度が依然として高すぎるため、作業者はシートを直接処理することができない。
【発明の概要】
【発明が解決しようとする課題】
【０００７】
本発明が解決しようとする技術的課題は、従来技術の問題点を解決し、シートの搬送過程においてシートを加熱し、溶接速度が速く、且つシートの酸化を回避する真空溶接炉制御システム及びその制御方法を提供することである。
【課題を解決するための手段】
【０００８】
本発明がその技術的課題を解決するために用いる技術的解決手段は、真空溶接炉制御システムを提供することである。該真空溶接炉制御システムは、制御モジュールと搬送機構とを含み、真空溶接炉は溶接室を含み、溶接室の下部に溶接台が設置され、炉蓋がその上部を蓋合わせるように設置され、溶接室と炉蓋との間に溶接チャンバが形成され、制御モジュールの出力端は搬送機構に連結され、さらに、負圧吸引モジュールと、シールドガス導入管と、加熱モジュールと、冷却モジュールとを含み、制御モジュールの出力端は負圧吸引モジュール、加熱モジュール及び冷却モジュールにそれぞれ連結され、溶接台の供給端に近接する側は加熱領域であり、溶接台の排出端に近接する側は冷却領域であり、負圧吸引モジュールは加熱領域の冷却領域に近接する一端の上側に設置され、炉蓋に昇降可能に設置され、負圧吸引モジュールの底部と加熱領域とが囲み密閉した負圧チャンバを形成し、加熱モジュールは加熱領域の内部に設置され、冷却モジュールは冷却領域の内部に設置され、シールドガス導入管は溶接室又は炉蓋に設置され、溶接室の内部と連通し、制御モジュールの出力端はシールドガス導入管のスイッチに連結される、ことを特徴とする。
【０００９】
好ましくは、前記搬送機構は、搬送バーと、溶接室の下側に設置された昇降機構、並進機構及び開閉機構とを含み、制御モジュールの出力端は、昇降機構、並進機構及び開閉機構にそれぞれ連結され、搬送バーは、対称に２本設置され、且つその中央部が溶接室内に設置され、開閉機構は、同時に２本の搬送バーに連結し、その２本の搬送バーを開閉させるように駆動し、並進機構は、開閉機構に連結され、排出端に近接又は離間する方向に沿ってその開閉機構を移動させるように駆動し、昇降機構は、並進機構に連結され、その並進機構を昇降させるように駆動し、各搬送バーのいずれにも複数の支持部が設けられ、溶接台の両端に複数の退避口が設けられ、退避口が支持部と１対１に対応する。
【００１０】
好ましくは、前記溶接室の両端は、いずれもエンドカバーによって封止され、各エンドカバーの両側のいずれにも搬送口が対称に設置され、搬送バーは、搬送口を通過し開閉機構に連結され、エンドカバーの底部と溶接台とが間隔をおいて設置される。
【００１１】
好ましくは、各前記エンドカバーの両側にバッフル板取付溝が対称に設置され、バッフル板取付溝の位置する平面が搬送バーの中心線に垂直であり、バッフル板取付溝内にバッフル板が摺動するように取り付けられ、バッフル板が搬送バーに摺動し且つ密封するように連結され、バッフル板が対応側のエンドカバーに連係され溶接室の端部を密封する。
【００１２】
好ましくは、前記溶接室の下側に搬送バーと１対１対応する搬送取付アームが設けられ、搬送取付アームの両端は、対応側の搬送バーの両端に連結され、開閉機構は、２つの搬送取付アームに連結される。
【００１３】
好ましくは、前記開閉機構は、水平に設置された開閉案内板と開閉動力モジュールとを含み、開閉案内板は、２本の搬送バーの間に設置され、開閉案内板の両側のいずれにも排出端に近接する方向に沿って徐々に内側への傾斜状の開閉案内部が設けられ、各搬送バーの下側のいずれにも開閉案内部に貼り合わせられる開閉案内輪が取り付けられ、２本の搬送バーの間に引張状態の開閉バネが設けられ、開閉動力モジュールは、開閉案内板に連結され、制御モジュールの出力端は、開閉動力モジュールに連結され、開閉動力モジュールは、排出端に近接又は離間する方向に沿って開閉案内板を移動させるように駆動する。
【００１４】
好ましくは、前記昇降機構は、昇降案内ブロックと搬送昇降シリンダとを含み、昇降案内ブロックの上側に排出端に近接する方向に沿って徐々に下への傾斜状の昇降案内部が設置され、並進機構の下側に昇降案内部に貼り合わせられる昇降案内輪が取り付けられ、搬送昇降シリンダのピストンロッドは、昇降案内ブロックに連結され、制御モジュールの出力端は、搬送昇降シリンダに連結され、搬送昇降シリンダは、排出端に近接又は離間する方向に沿って昇降案内ブロックを移動させるように駆動する。
【００１５】
好ましくは、前記加熱領域は、複数の加熱板を含み、前記冷却領域は、複数の冷却板を含む。
【００１６】
好ましくは、各前記加熱板の両側のいずれにも電気加熱管を備える加熱モジュールが対称に設置され、加熱板の中央部にセンサ取付孔が設置され、センサ取付孔は２つの電気加熱管の間に設置された止まり穴であり、センサ取付孔内に温度センサが取り付けられ、温度センサは、制御モジュールの入力端に連結され、制御モジュールの出力端は、電気加熱管に連結される。
【００１７】
好ましくは、前記冷却板の両側に給水通路を備える冷却モジュールが対称に設置され、冷却板の少なくとも一端に２つの給水通路と連通する排水通路が設置され、制御モジュールの出力端は、給水通路のスイッチに連結される。
【００１８】
好ましくは、前記シールドガス導入管は、主窒素ガス導入管と副窒素ガス導入管とを含み、炉蓋の両端のいずれにも主窒素ガス導入管が設置され、炉蓋の中央部の両側に副窒素ガス導入管が対称に設置され、主窒素ガス導入管及び副窒素ガス導入管の排気端は、それぞれ溶接室と連通し、制御モジュールの出力端は、主窒素ガス導入管及び副窒素ガス導入管のスイッチにそれぞれ連結される。
【００１９】
好ましくは、前記炉蓋の下部の両側に吸気板が対称に設置され、吸気板の上部に設けられる上側へ開口する吸気口が炉蓋と囲み吸気チャンバを形成し、吸気板に吸気口と溶接室とを連通させる複数の噴気孔が間隔をおいて設置され、副窒素ガス導入管は、吸気口と連通する。
【００２０】
好ましくは、前記負圧吸引モジュールは、密封板と負圧吸引昇降シリンダとを含み、密封板は、加熱領域の上側に設置され、加熱領域と平行に設置され、密封板の底部と加熱領域とが密閉の負圧チャンバを形成し、負圧チャンバに負圧吸引管が連結され、制御モジュールの出力端は、負圧吸引管のスイッチ及び負圧吸引昇降シリンダにそれぞれ連結される。
【００２１】
好ましくは、前記密封板は、炉蓋の下側に設置され、負圧吸引昇降シリンダが炉蓋の上側に設置され、負圧吸引昇降シリンダのピストンロッドが連結管を介して密封板に連結され、連結管が負圧チャンバと負圧吸引管とを連通させ、制御モジュールの出力端がピストンロッドに連結される。
【００２２】
好ましくは、浄化モジュールをさらに含み、浄化モジュールの吸気端と排気端とのいずれも溶接室と連通する。
【００２３】
好ましくは、前記浄化モジュールは、浄化箱と、浄化箱内に設置されたコイル及びストレーナとを含み、吸気端と排気端とが浄化箱の両側にそれぞれ設置され、ストレーナは、排気端に近接するように設置され、排気端を封止し、コイルは、循環ポンプに連結され、循環ポンプを介してコイル内に循環するクーラントが充填され、浄化箱の排気端と溶接室との間にファンが設置され、制御モジュールの出力端は、ファンのモータ入力端及び循環ポンプのスイッチに連結される。
【００２４】
好ましくは、前記浄化モジュールは、浄化箱内に設置されたフィンをさらに含む。
【００２５】
好ましくは、前記溶接室の下側に貯液カバーが設置され、貯液カバーの底部の両側は、側部から中央部に徐々に下への傾斜状であり、貯液カバーの底部に貯液カバー排出管が設けられる。
【００２６】
前記真空溶接炉制御システムの制御方法であって、以下のステップを含むことを特徴とする。
【００２７】
ステップ１００１：制御モジュールは、炉蓋が溶接室の上部を蓋合わせ、それを封止するように制御し、シールドガス導入管のスイッチをオンにさせ、溶接室内にシールドガスが充填されるように制御し、加熱領域がその上のシートを加熱するように制御し、冷却領域がその上のシートを冷却するように制御する。
【００２８】
ステップ１００２：制御モジュールは、搬送機構が複数のシートを供給端から排出端の方向へ搬送し、毎回所定の距離を搬送するように制御する。
【００２９】
ステップ１００３：搬送機構が搬送操作を完了するたびに、負圧吸引モジュールが降下して加熱領域と密閉した負圧チャンバを形成し、負圧チャンバに対し所定時間の負圧吸引又は真空吸引操作を行うように制御する。
【００３０】
ステップ１００４：負圧吸引又は真空吸引操作を遂行した後、制御モジュールは、搬送機構が排出端へシートを搬送し続けるように制御する。
【発明の効果】
【００３１】
従来技術に比べると、本発明の有益な効果は以下のとおりである。
【００３２】
１、真空溶接炉制御システム及びその制御方法は、加熱領域を設置しシートを加熱することによって、シートを負圧チャンバ内で高速溶接させる。溶接室内にシールドガスが充填されているため、加熱過程においてシートが酸素と反応することを回避することができる。冷却領域は、シートを冷却することができるため、溶接室から搬出されるシートの温度を低減し、シートの酸化を回避するだけでなく、溶接されたシートを早急に処理するのに適する。また、シートの処理過程においてシートの温度が高すぎて変性しやすくなるため、処理過程にシートが変形し、不良率が増加するという問題が発生することはない。シートは、加熱領域又は冷却領域と直接接触し、熱伝導の方式により加熱及び冷却を実現し、放射を用いる加熱方式に比べて、加熱速度を大幅に向上させ、シートを迅速に昇温及び降温させることができ、エネルギーの消費を低減する。
【００３３】
２、加熱領域は、複数の加熱板をつなぎ合わせて形成され、冷却領域は、複数の冷却板をつなぎ合わせて形成され、それにより溶接室内に複数のシートを同時に収容することができ、加熱領域が同時に複数のシートを加熱し、シートを迅速に溶接温度に達するようなことを可能にし、溶接速度を向上させる。
【００３４】
３、各加熱板のいずれにも電気加熱管及び温度センサが設置されるため、各加熱板は、独立した温度制御を実現する。それによりシートの搬送過程において徐々にシートを加熱することができ、加熱が速すぎるためシートが変形することを回避し、さらに加熱が速すぎて半田ペーストが融解して流出することにより、不良品が発生することを回避する。
【００３５】
４、各冷却板のいずれにも給水通路と排水通路とが設置され、徐々にシートを降温させることを実現し、降温が速すぎるため凝固後の半田ペーストに亀裂が発生し、チップとシートとの接触が不良となり、不良品が発生することを回避し、シートの変形も回避できる。
【００３６】
５、貯液カバーは、貯液カバー排出管を介して冷却領域において凝集し形成された液体を排出することができる。
【００３７】
６、炉蓋の両端に主窒素ガス導入管が設けられ、炉蓋の中央部の両側に副窒素ガス導入管が対称に設けられることにより、窒素ガスを迅速に溶接室に充填し、溶接前の準備時間を短くし、使い勝手をよくすることを保証することができる。
【００３８】
７、副窒素ガス導入管は、吸気板によって窒素ガスを溶接室内に均一に噴入し、それにより溶接室内の空気を完全に排出することができ、加熱後のシートが酸素と反応することを回避する。
【００３９】
８、開閉機構は、２本の搬送バーを開閉させるように駆動し、昇降機構に連係して、支持部を溶接台の退避口内に伸ばし、シートの両端によってシートを持ち上げ、並進機構は、搬送バーによってシートを並進させるように駆動し、それによりシートの並進動作を完了させる。
【００４０】
９、搬送バーは、搬送口を通過し溶接室から伸出し、開閉機構に連結される。溶接室内のシートを搬送することを実現するだけでなく、シートを溶接室内に搬送し、さらに溶接室内の溶接されたシートを溶接室外に搬送することができ、溶接過程において炉蓋を開けることなくシートの搬入及び搬出を実現することができる。
【００４１】
１０、バッフル板は、搬送バーの移動とともにバッフル板取付溝内にて移動し、それにより早急に溶接室を封止することができ、シールドガスの漏洩を回避し、シールドガスの消費を低減し、溶接コストをさらに低減する。
【００４２】
１１、開閉機構は、溶接室の下側の搬送取付アームに連結され、搬送バーの連結をしやすくする。
【００４３】
１２、開閉動力モジュールは、開閉案内板を移動させるように駆動し、開閉案内板の開閉案内部は、開閉案内輪によって２本の搬送バーを逆方向へ同期しつつ移動させるように駆動し、開閉バネは、開閉案内板の開閉案内部に開閉案内輪を常に圧着させることができ、さらに２本の搬送バーの開閉を実現し、シートを搬送しやすくし、さらに搬送バーが負圧吸引モジュールの動作を妨げることを回避することができ、搬送バーのストロークが安定し、エンドカバーを破損することがない。
【００４４】
１３、搬送昇降シリンダは、昇降案内ブロックを並進させるように駆動し、昇降案内ブロックの昇降案内部は、昇降案内輪によって並進機構を昇降させるように駆動し、さらに２本の搬送バーの同期しつつの昇降を実現し、搬送バーの昇降動作が安定するように保証し、且つ昇降のストロークが特定され、溶接室を破損することがない。
【００４５】
１４、密封板と加熱領域とが囲み負圧チャンバを形成し、負圧吸引昇降シリンダが密封板を昇降させるように駆動することができるため、シートの負圧チャンバへの搬入又は負圧チャンバからの搬出をしやすくする。
【００４６】
１５、負圧吸引昇降シリンダが連結管を介して密封板に連結され、密封板を昇降させるように駆動し、負圧吸引管が連結管を介して負圧チャンバと連通し、密封板の取り付け及び連結をしやすくするだけでなく、負圧チャンバの負圧吸引をしやすくする。
【００４７】
１６、浄化モジュールは、溶接室内のシールドガスを抽出し、シールドガス内のフラックスヒュームを除去することができ、半田ペーストが加熱されて過剰なフラックスヒュームが発生するため、シートの溶接に影響を与えることを回避する。
【００４８】
１７、コイルは、クーラントを介して抽出されたシールドガスと熱交換を行い、シールドガスの温度を低減し、フラックスを液化させ、続いてストレーナを介してシールドガスを濾過することにより、フラックスをストレーナに残す。それによりフラックスとシールドガスとの分離を実現する。
【００４９】
１８、フィンは、クーラントとシールドガスとの熱交換面積を増加させることにより、シールドガスを迅速に降温させることができる。それによりシールドガス内のフラックスをより徹底的に除去することができる。
【００５０】
１９、当該真空溶接炉制御システムは、シールドガスにより溶接室内のシートを保護し、高温のシートが酸素と反応することを回避し、加熱領域がシートを徐々に加熱することにより、シートを負圧チャンバ内に移動した時に温度が溶接温度に達し又は溶接温度に近づくようにし、負圧チャンバ内での溶接時間において高速溶接を完了することができ、溶接時間を短縮し、溶接速度を向上させ、冷却領域がシートを徐々に冷却することができ、徹底的に冷却することを保証するだけでなく、冷却が速すぎるためシートが変形することを回避することができる。
【図面の簡単な説明】
【００５１】
【図１】真空溶接炉の斜視模式図である。
【００５２】
【図２】炉蓋の斜視模式図である。
【００５３】
【図３】炉蓋の正面断面模式図である。
【００５４】
【図４】図３におけるＡの部分拡大図である。
【００５５】
【図５】吸気板の正面断面模式図である。
【００５６】
【図６】炉蓋を取り外した後の真空溶接炉の斜視模式図である。
【００５７】
【図７】図６におけるＢの部分拡大図である。
【００５８】
【図８】溶接台の斜視模式図である。
【００５９】
【図９】溶接台の右側面模式図である。
【００６０】
【図１０】加熱板の上面断面模式図である。
【００６１】
【図１１】冷却板の上面断面模式図である。
【００６２】
【図１２】負圧吸引モジュールの正面模式図である。
【００６３】
【図１３】溶接室取付部材の正面断面模式図である。
【００６４】
【図１４】取付ピンの正面断面模式図である。
【００６５】
【図１５】搬送機構の斜視模式図である。
【００６６】
【図１６】搬送機構の正面模式図である。
【００６７】
【図１７】フラックス浄化モジュールの斜視模式図である。
【００６８】
【図１８】浄化モジュールの正面断面模式図である。
【００６９】
【図１９】真空溶接炉制御システムのワークフローチャートである。
【符号の説明】
【００７０】
１：ラック、２：搬送機構、３：炉蓋シリンダ、４：炉蓋、５：主窒素ガス導入管、６：案内カバー、７：浄化導入管、８：浄化排気管、９：負圧吸引モジュール、１０：連結アーム、１１：スイングアーム、１２：取付アーム、１３：連結棒、１４：炉蓋取付板、１４０１：取付口、１５：ガスカバー、１６：副窒素ガス導入管、１７：吸気板、１７０１：吸気口、１７０２：噴気孔、１８：溶接室、１９：排出台、１９０１：排出台退避口、２０：溶接台、２１：供給台、２１０１：供給台退避口、２２：取付板、２３：調節バネ、２４：搬送バー、２５：密封カバー、２６：エンドカバー、２６０１：搬送口、２６０２：バッフル板取付溝、２７：バッフル板、２８：冷却板、２８０１：冷却板退避口、２８０２：給水通路、２８０３：排水通路、２８０４：冷却板取付孔、２９：給水管、３０：加熱板、３００１：加熱板退避口、３００２：電気加熱管取付孔、３００３：センサ取付孔、３００４：加熱板取付孔、３１：電気加熱管、３２：温度センサ、３３：貯液カバー、３３０１：貯液カバー排出管、３４：負圧吸引取付枠、３５：負圧吸引昇降シリンダ、３６：密封板、３７：連結管、３８：連結板、３９：取付ピン、３９０１：ねじ孔、４０：溶接室取付部材、４００１：固定部、４００２：段付孔、４１：並進板、４２：開閉取付棒、４３：開閉案内板、４４：開閉案内輪、４５：搬送取付アーム、４６：搬送昇降シリンダ、４７：昇降案内枠、４８：昇降案内ブロック、４９：並進枠、５０：並進枠ガイドレール、５１：並進板ガイドレール、５２：搬送取付板、５３：並進モータ、５４：並進モータ取付枠、５５：搬送移動枠、５６：開閉移動枠、５７：開閉モータ取付枠、５８：開閉モータ、５９：浄化モジュール、６０：給油箱、６１：浄化箱、６２：浄化箱導入管、６３：ストレーナ取付箱、６４：ストレーナ、６５：ファン、６６：フラックス回収バレル、６７：コイル、６８：フィン
【発明を実施するための形態】
【００７１】
図１〜１９は本発明の最適な実施例であり、以下、図面１〜１９に合わせて本発明をさらに説明する。
【００７２】
真空溶接炉制御システムであって、制御モジュールと、搬送機構２と、負圧吸引モジュール９と、シールドガス導入管と、加熱モジュール、冷却モジュールとを含み、真空溶接炉は、溶接室１８を含み、溶接室１８の下部に溶接台２０が設置され、炉蓋４がその上部を蓋合わせるように設置され、溶接室１８と炉蓋４との間に溶接チャンバが形成され、制御モジュールの出力端は、搬送機構２に連結され、搬送機構２の一部は、溶接室１８内に可動に設置され、制御モジュールの出力端は、負圧吸引モジュール９、加熱モジュール及び冷却モジュールにそれぞれ連結され、溶接台２０の供給端に近接する側は、加熱領域であり、溶接台２０の排出端に近接する側は、冷却領域であり、負圧吸引モジュール９は、加熱領域の冷却領域に近接する一端の上側に設置され、炉蓋４に昇降可能に設置され、負圧吸引モジュール９の底部と加熱領域とが囲み密閉した負圧チャンバを形成し、加熱モジュールは、加熱領域の内部に設置され、冷却モジュールは、冷却領域の内部に設置され、シールドガス導入管は、溶接室１８又は炉蓋４に設置され、溶接室１８の内部と連通し、制御モジュールの出力端は、シールドガス導入管のスイッチに連結される。
【００７３】
当該真空溶接炉の加熱領域は、シートを加熱することにより、シートを負圧チャンバ内で迅速に溶接させることができる。溶接室１８内にシールドガスが充填されるため、加熱過程にシートが酸素と反応することを回避することができる。冷却領域は、シートを冷却することができるため、溶接室１８から搬出されるシートの温度を低減し、シートの酸化を回避するだけでなく、溶接されたシートを早急に処理するのに適する。また、シートの処理過程にシートの温度が高すぎて変性しやすいため処理過程にシートが変形し、不良率が増加するという問題が発生することはない。シートは、加熱領域又は冷却領域と直接接触し、熱伝導の方式により加熱及び冷却を実現し、放射を用いる加熱方式に比べて、加熱速度を大幅に向上させ、シートを迅速に昇温及び降温させ、エネルギーの消費を低減する。
【００７４】
以下、具体的な実施例に合わせて本発明をさらに説明するが、当業者であれば、ここで図面に合わせた詳細な説明はより良く解釈するためのものであり、本発明の構造は必ずこれらの限られた実施例の範囲を超えるものであり、一部の同等の代替手段又は一般的な手段について本明細書はその説明を省略するが、依然として本発明の保護範囲に属することを理解すべきである。
【００７５】
具体的には、図１に示すように、溶接室１８は、上側へ開口する直方体筐体であり、溶接室１８の両端は、それぞれ供給端と排出端であり、溶接室１８は、ラック１の上側に取り付けられ、搬送機構２は、溶接室１８の下側のラック１に取付けられる。炉蓋４は、溶接室１８の上側に取り付けられ、溶接室１８の上側を封止する。負圧吸引モジュール９は、炉蓋４に設置され、且つ負圧吸引モジュール９の下端が炉蓋４を通過した後に溶接室１８内に伸び、負圧吸引モジュール９は、冷却領域に近接する加熱領域の上部に設置される。負圧吸引モジュール９は、複数設置されてもよく、それにより溶接速度を向上させ、１つ設置されてもよい。
【００７６】
ラック１の両端に連結アーム１０が対称に設置され、連結アーム１０の上端は、上へ伸出し、且つ連結アーム１０の上端は、溶接室１８よりも高く設置される。炉蓋４の両端に取付アーム１２が対称に設置され、取付アーム１２は、水平に設置され、各取付アーム１２の一端は、炉蓋４に固定するように連結され、他端は、連結アーム１０の上端に回転可能に連結される。炉蓋４を開閉させるように駆動する炉蓋シリンダ３が炉蓋４にさらに連結され、炉蓋シリンダ３のピストンロッドは、連結棒１３及びスイングアーム１１を介して取付アーム１２に連結され、取付アーム１２の上端は、取付アーム１２の中央部に回転可能に連結され、取付アーム１２の下端は、連結棒１３の中央部に回転可能に連結され、連結棒１３の一端は、ラック１又は連結アーム１０に回転可能に連結され、他端は、炉蓋シリンダ３のピストンロッドに回転可能に連結され、制御モジュールは、炉蓋シリンダ３のピストンロッドの移動を制御し、それにより炉蓋４の自動的な開放と閉鎖とを実現する。
【００７７】
図２に示すように、炉蓋４は、上側の炉蓋カバーと下側の炉蓋取付板１４とを含み、炉蓋カバーは、下側へ開口する直方体筐体であり、炉蓋取付板１４は、直方体板であり、炉蓋カバーの下側に設置され、炉蓋カバーの下側の開口を封止する。取付アーム１２及び負圧吸引モジュール９は、いずれも炉蓋取付板１４に取付けられる。
【００７８】
本実施例において、シールドガスは、窒素ガスであり、シールドガス導入管は、主窒素ガス導入管５を含み、炉蓋取付板１４の両端のいずれにも主窒素ガス導入管５が設置され、主窒素ガス導入管５の上端は、炉蓋カバーから伸出し、各主窒素ガス導入管５の上側のいずれにも案内カバー６が設置され、案内カバー６は、対応側の主窒素ガス導入管５の上側に間隔をおいて設置され、主窒素ガス導入管５の上端と間隔をおいて設置され、案内カバー６は、円筒状であり、案内カバー６と主窒素ガス導入管５とのいずれも垂直に設置され、案内カバー６は、炉蓋カバーの上側に設置され、且つ案内カバー６と主窒素ガス導入管５とが同軸に設置され、案内カバー６は、主窒素ガス導入管５と位置合せられることができ、制御システムは、対応するシールドガスが案内カバー６から主窒素ガス導入管５に入るように制御する。各主窒素ガス導入管５と炉蓋取付板１４との間のいずれにもガスカバー１５が設置され、ガスカバー１５の上部の左右両側はいずれも下から上へ徐々に内側への傾斜状であり、ガスカバー１５は、炉蓋取付板１４と炉蓋カバーとの間に設置され、ガスカバー１５の下側は開口するように設置され、ガスカバー１５の下側は、炉蓋取付板１４に固定するように連結され、且つ炉蓋４の下側にガスカバー１５と溶接室１８とを連通させるための長孔が設置され、それによりシールドガスを均一に溶接室１８内に噴入することができる。
【００７９】
炉蓋取付板１４の上側にさらに浄化導入管７と浄化排気管８とが設置され、浄化導入管７と浄化排気管８とのいずれもガスカバー１５によって溶接室１８と連通し、ガスカバー１５は、炉蓋取付板１４及び炉蓋カバー内に設置され、浄化導入管７と浄化排気管８とは、負圧吸引モジュール９の同じ側に設置され、且つ浄化排気管８は、浄化導入管７と負圧吸引モジュール９との間に設置され、それにより浄化後の窒素ガスの温度が低すぎるため、シートの温度を低減し、さらにシートの溶接時間を延長させることを回避する。浄化排気管８は、浄化モジュール５９の吸気端と連通し、制御モジュールは、浄化モジュール５９により溶接室１８内のガスの循環及び濾過並びに浄化を制御し、それにより半田ペースト内のフラックスが加熱されて発生するフラックスヒュームを除去することができ、フラックスヒュームがシートの溶接に影響を与えることを回避する。
【００８０】
図３〜５に示すように、シールドガス導入管は、副窒素ガス導入管１６をさらに含み、炉蓋取付板１４の中央部の両側にさらに副窒素ガス導入管１６が対称に設置される。副窒素ガス導入管１６は、炉蓋取付板１４の上側に設置され、制御システムは、副窒素ガス導入管１６の吸気端への窒素ガスの吸い込みを制御し、副窒素ガス導入管１６の排気端は、溶接室１８と連通し、それにより溶接室１８内に窒素ガスをより均一に噴入することができ、溶接室１８内の窒素ガスが完全に排出されることを保証し、シートが加熱された後に酸素と反応することを回避する。炉蓋取付板１４の中央部の下側に吸気板１７が設置され、吸気板１７は、長方形板であり、吸気板１７の上側に開口が上向きである吸気口１７０１が設置され、吸気口１７０１は、吸気板１７の長手方向に沿って設置された長孔であり、炉蓋取付板１４の各側のいずれにも２つの吸気板１７が設置され、且つ２つの吸気板１７は、炉蓋取付板１４の長手方向に沿って順に配列され、各吸気板１７のいずれにも長手方向に沿って複数の噴気孔１７０２が間隔をおいて設置され、それにより窒素ガスが均一に溶接室１８内に噴入されることを保証することができる。内側へ凹んだ取付口１４０１が炉蓋取付板１４の下側に設置され、取付口１４０１は、吸気板１７と１対１対応し、吸気板１７の上部は、炉蓋取付板１４の取付口１４０１内に取り付けられ、且つ各吸気板１７の吸気口１７０１は、いずれも炉蓋取付板１４の取付口１４０１と囲み吸気チャンバを形成し、副窒素ガス導入管１６の排気端は、吸気チャンバと連通し、それにより吸気チャンバ内に窒素ガスを噴入しやすくなる。
【００８１】
図６〜７に示すように、搬送機構２は、搬送バー２４と、溶接室１８の下側に設置された昇降機構、並進機構及び開閉機構とを含み、制御モジュールの出力端は、昇降機構、並進機構及び開閉機構にそれぞれ連結され、シートの搬送を制御し、搬送バー２４の中央部は、溶接室１８内に設置され、溶接室１８の両端は、エンドカバー２６によって封止され、且つ各エンドカバー２６の両側のいずれにも搬送口２６０１が設置され、搬送バー２４は、溶接室１８の長手方向に沿って水平に設置され、且つ２本の搬送バー２４は、溶接室１８の両側に対称に設置され、各搬送バー２４の両端は、いずれもエンドカバー２６の搬送口２６０１を通過し伸出する。溶接室１８の下側に搬送取付アーム４５が水平に設置され、搬送取付アーム４５は、搬送バー２４と１対１対応し、対応側の搬送バー２４の下側に設置され、各搬送バー２４の両端のいずれも取付板２２によって対応側の搬送取付アーム４５に連結され、取付板２２の上端は、搬送バー２４に連結され、取付板２２の下端は、搬送取付アーム４５に連結され、昇降機構は、ラック１に取り付けられ、並進機構は、昇降機構に取り付けられ、開閉機構は、並進機構に取り付けられ、且つ開閉機構は、同時に２本の搬送バー２４に連結され、それにより２本の搬送バー２４の開閉、昇降及び並進動作を実現し、シートを搬送しやすくする。
【００８２】
各搬送バー２４の一端と取付板２２との間に調節バネ２３が設置され、調節バネ２３は、搬送バー２４に外嵌され、搬送バー２４の調節バネ２３に近接する一端は、取付板２２に摺動するように連結され、調節バネ２３は、取付板２２の外側に設置され、調節バネ２３の一端は、取付板２２に支持され、他端は、搬送バー２４の端部に支持され、それにより軸方向において搬送バー２４の位置を調節しやすくなる。調節バネ２３は、さらに緩衝作用を果たし、搬送過程に発生する衝撃荷重によってシートを落下させることを回避する。
【００８３】
溶接室１８両端のエンドカバー２６の下側と溶接台２０の上側は、間隔をおいて設置され、それにより溶接室１８の両端に供給端と排出端とを形成し、且つ加熱領域に近接する一端は、溶接室１８の供給端であり、冷却領域に近接する一端は、溶接室１８の排出端である。各エンドカバー２６の両端のいずれにも垂直のバッフル板取付溝２６０２が設置され、バッフル板取付溝２６０２内にバッフル板２７が摺動するように取り付けられ、バッフル板２７は、搬送バー２４に摺動するように連結され、且つバッフル板２７と搬送バー２４との間は密閉するように設置され、バッフル板２７は、搬送口２６０１を封止し、それにより搬送バー２４がシートを搬送する過程においてバッフル板２７は搬送バー２４とともにエンドカバー２６の位置する平面内で移動し、バッフル板２７に常に搬送口２６０１を封止させることができ、窒素ガスの漏洩を回避し、さらに搬送口２６０１の大きさに対する制限を解除し、さらに搬送バー２４の移動軌跡を設置しやすくすることができる。バッフル板２７は、さらにエンドカバー２６と溶接台２０との間の隙間、即ち供給端又は排出端を封止し、搬送バー２４がシートを持ち上げる時に供給端又は排出端を開放することができ、シートの溶接室１８への搬入又は溶接室１８からの搬出に便利であり、窒素ガスの漏洩を回避する。各搬送バー２４の両端のいずれにも密封カバー２５が取り付けられ、各搬送バー２４は密封カバー２５によってバッフル板２７に摺動且つ密閉するように連結される。
【００８４】
図８に示すように、溶接台２０は、複数の加熱板３０と複数の冷却板２８とを含み、複数の加熱板３０は、溶接室１８の長手方向に沿って順に設置され、加熱領域を形成し、複数の冷却板２８は、溶接室１８の長手方向に沿って順に設置され、冷却領域を形成し、且つ冷却領域は、排出端に近接するように設置される。負圧吸引モジュール９は、冷却領域に近接する一端の加熱板３０の上側に設置される。
【００８５】
各加熱板３０の両側に加熱板退避口３００１が対称に設置され、各冷却板２８の両端に冷却板退避口２８０１が対称に設置され、各搬送バー２４のいずれにも複数の支持部が間隔をおいて設置され、支持部は、加熱板退避口３００１又は冷却板退避口２８０１内に伸び、加熱板３０又は冷却板２８に水平に置かれたシートを持ち上げ、シート全体を冷却板２８又は加熱板３０に載置させることができ、シートが加熱され柔らかくなり、両端が変形することを回避し、負圧吸引モジュール９と加熱板３０とを密閉しやすくする。
【００８６】
各加熱板３０の両側のいずれにも電気加熱管３１が対称に取り付けられ、２つの電気加熱管３１の間の加熱板３０に温度センサ３２が設置され、温度センサ３２は、制御モジュールの入力端に連結され、温度信号を制御モジュールに伝達し、制御モジュールは、温度のフィードバックに基づいて対応する２つの電気加熱管３１の温度を制御し、それにより各加熱板３０に対する独立した制御を実現し、加熱板３０の排出端に近接する方向に沿い温度を徐々に増加させ、徐々にシートを加熱し、加熱が速すぎるため半田ペーストが滴下することを回避する。各冷却板２８のいずれにも給水管２９と排水管とが連結され、制御モジュールは、給水管２９の開閉を制御し、冷却板２８は、冷却水によって冷却板２８上のシートを降温し、且つ排出端に近接する方向に沿い、冷却板２８の温度は徐々に低減し、それにより徐々にシートを降温し、降温が速すぎるため凝固した半田ペーストが亀裂することを回避する。
【００８７】
溶接室１８の供給端の外側に供給台２１が設置され、供給台２１の両端のいずれにも支持部に連係する供給台退避口２１０１が設置され、シートを供給台２１に載置するだけで、搬送機構２は、シートを溶接室１８内の溶接台２０に搬送することができる。溶接室１８の排出端に排出台１９が設置され、排出台１９の両端のいずれにも支持部に連係する排出台退避口１９０１が設置され、搬送機構２は、冷却後のシートを排出台１９に搬送し、それにより本真空溶接炉の連続的な溶接を実現し、炉蓋４を開けることなく、排出と供給とを実現することができる。
【００８８】
図９に示すように、溶接室１８の底部に貯液カバー３３が設置され、貯液カバー３３の両側は、側部から中央部へ徐々に下への傾斜状であり、且つ貯液カバー３３の中央部の両端に貯液カバー排出管３３０１が対称に設置され、貯液カバー３３は、冷却領域に液化して形成された水滴を収集し、溶接室１８の外に排出することができ、溶接室１８内にシートの溶接を妨げることを回避する。
【００８９】
図１０に示すように、加熱板３０は、長方形板であり、加熱板３０の角部に加熱板取付孔３００４が設置される。加熱板３０の両側に電気加熱管取付孔３００２が対称に設置され、電気加熱管取付孔３００２は、水平に設置された貫通孔であり、各電気加熱管取付孔３００２内のいずれにも電気加熱管３１が取り付けられ、それにより均一に加熱することを保証することができる。加熱板３０の中央部にさらに水平のセンサ取付孔３００３が設置され、センサ取付孔３００３は、電気加熱管取付孔３００２と平行に設置された止まり穴であり、且つセンサ取付孔３００３の長さは、加熱板３０の長さの半分であり、温度センサ３２は、センサ取付孔３００３内に取り付けられ、それによりリアルタイムに加熱板３０の温度を検出することができる。
【００９０】
図１１に示すように、冷却板２８は、長さと幅がそれぞれ加熱板３０の長さと幅に等しい長方形板であり、冷却板２８の角部に冷却板取付孔２８０４が設置され、冷却板２８の両側に水平の給水通路２８０２が対称に設置され、給水通路２８０２は、冷却板２８の長手方向に沿って設置され、且つ冷却板２８の一端に水平の排水通路２８０３が設置され、排水通路２８０３は、２つの給水通路２８０２を連通し、それにより冷却板２８全体の温度を均一にし、冷却効果に優れる。排水通路２８０３と給水通路２８０２との両端のいずれにも連結部が設置され、給水管２９と排水管とを連結しやすくする。
【００９１】
図１２〜１３に示すように、溶接室１８は、ラック１の上側に設置され、溶接室取付部材４０によってラック１に固定するように連結される。溶接室１８の両側には、複数の溶接室取付部材４０が対称に設置され、溶接室取付部材４０の下側の両端に下へ突出した固定部４００１が対称に設置され、固定部４００１に貫通孔が設置され、溶接室取付部材４０は、固定部４００１の貫通孔内に設置されたボルトによってラック１に固定するように連結される。溶接室取付部材４０の両端に段付孔４００２が対称に設置され、段付孔４００２の上部の直径は、下部の直径より大きく、各段付孔４００２のいずれにも取付ピン３９が取り付けられ、取付ピン３９は、円筒状であり、且つ取付ピン３９の下端にねじ孔３９０１が同軸設置され、ねじ孔３９０１は、取付ピン３９に設置された止まり穴であり、取付ピン３９の直径は、段付孔４００２上部の直径に等しく、取付ピン３９の下端は、段付孔４００２の上部内に伸び、ボルトによって溶接室取付部材４０に固定するように連結される。加熱板３０の加熱板取付孔３００４は、取付ピン３９の上部に外嵌され、加熱板３０の取付けを完了させ、冷却板２８の冷却板取付孔２８０４は、取付ピン３９の上部に外嵌され、冷却板２８の取付けを完了させ、着脱しやすくなる。
【００９２】
図１４に示すように、負圧吸引モジュール９は、負圧吸引取付枠３４と、密封板３６と、連結管３７と、負圧吸引昇降シリンダ３５とを含み、負圧吸引取付枠３４は、炉蓋取付板１４の上側に取り付けられ、負圧吸引昇降シリンダ３５は、負圧吸引取付枠３４に取り付けられ、負圧吸引昇降シリンダ３５のピストンロッドは、下へ垂直に設置され、制御モジュールは、負圧吸引昇降シリンダ３５の下への移動を制御し、密封板３６は、炉蓋取付板１４の下側に設置され、密封板３６は、水平に設置されており、密封板３６の底部は、内側へ凹み、密封板３６の底面の密封板３６を取り囲む外縁にシールリングが設置され、密封板３６と加熱板３０とが囲み負圧チャンバを形成し、溶接されるシートは、負圧チャンバ内に設置され、負圧吸引昇降シリンダ３５のピストンロッドに水平の連結板３８が取り付けられ、連結板３８は、炉蓋取付板１４の上側に設置され、連結管３７は、連結板３８と密封板３６との間に設置され、連結管３７は、炉蓋取付板１４に摺動且つ密封するように連結され、連結管３７の下端は、負圧チャンバと連通し、連結管３７の上端に負圧吸引管が連結され、制御モジュールは、負圧吸引管の負圧チャンバに対しガス抽出を制御する。
【００９３】
図１５〜１６に示すように、溶接室１８の下側に並進板４１が間隔をおいて設置され、搬送取付アーム４５は、並進板４１と溶接室１８との間に設置され、搬送取付アーム４５は、取付座によって並進板４１に摺動するように取り付けられ、並進機構は、並進板４１に連結され、シートの搬送方向に沿って並進板４１を並進させるように駆動する。並進板４１の下側に水平の搬送取付板５２が間隔をおいて設置され、搬送取付板５２の上部の両側に並進板ガイドレール５１が対称に設置され、並進板ガイドレール５１は、搬送バー２４の中心線と平行に設置され、並進板４１は、下側に設置された並進板スライダによって並進板ガイドレール５１に摺動するように取り付けられ、搬送取付板５２は、昇降機構に取り付けられ、昇降機構とともに昇降する。
【００９４】
昇降機構は、水平に設置された並進枠４９と、昇降案内ブロック４８と、昇降案内枠４７と、搬送昇降シリンダ４６とを含み、ラック１に水平の並進枠ガイドレール５０が取り付けられ、並進枠ガイドレール５０は、並進板ガイドレール５１と平行に設置され、並進枠４９は、下側の並進枠スライダによって並進枠ガイドレール５０に摺動するように取り付けられる。搬送昇降シリンダ４６は、ラック１に水平に取り付けられ、且つ搬送昇降シリンダ４６のピストンロッドは、並進枠４９の方向に向けて設置され、搬送昇降シリンダ４６のピストンロッドは、並進枠４９に連結され、シートの搬送方向に沿い並進枠４９を移動させるように駆動する。並進枠４９の両側のいずれにも昇降案内ブロック４８が対称に設置され、昇降案内ブロック４８の上側に昇降案内部が設置され、昇降案内部は、搬送昇降シリンダ４６に近接する方向に沿い徐々に上への傾斜状であり、昇降案内枠４７は、昇降案内ブロック４８と１対１対応し、昇降案内枠４７の下側に昇降案内輪が回転可能に取り付けられ、昇降案内輪は、対応側の昇降案内ブロック４８の昇降案内部に貼り合わせられ、搬送取付板５２の昇降を実現する。ラック１に垂直の昇降ガイドレールが設置され、昇降取付板５２は、昇降スライダによって昇降ガイドレールに摺動するように取り付けられ、搬送取付板５２を案内する。
【００９５】
並進機構は、並進枠モータ取付枠５４と、搬送移動枠５５と、並進モータ５３とを含み、並進モータ取付枠５４は、搬送取付板５２の下側に設置され、並進モータ５３は、並進モータ取付枠５４に取り付けられ、並進モータ５３の出力軸は、水平に設置され、シートの搬送方向と平行に設置される。
【００９６】
並進モータ５３に同軸に並進ねじが取り付けられ、並進ねじは、並進モータ５３とともに同期しつつ回転し、搬送移動枠５５は、並進モータ取付枠５４に摺動するように取り付けられ、搬送移動枠５５に並進ねじに連係する並進ナットが設置される。搬送移動枠５５の上側は、搬送取付板５２を通過した後に並進板４１に連結され、並進板４１を同期しつつ移動するように駆動し、搬送移動枠５５と搬送取付板５２とが摺動するように設置される。
【００９７】
開閉機構は、開閉取付棒４２と、開閉案内板４３と、開閉移動枠５６と、開閉モータ取付枠５７と、開閉モータ移動枠５６と、開閉動力モジュールとを含み、本実施例において、開閉動力モジュールは、開閉モータ５８である。開閉モータ取付枠５７は、搬送取付板５２の下側に設置され、開閉モータ取付枠５７の上側は、並進板４１に連結され、並進板４１とともに同期しつつ移動し、開閉モータ取付枠５７は、搬送取付板５２に摺動するように連結される。開閉モータ５８は、開閉モータ取付枠５７に取り付けられる。開閉移動枠５６は、開閉モータ取付枠５７に摺動するように取り付けられ、開閉モータ５８の出力軸に開閉ねじが同軸に取り付けられ、開閉移動枠５６に開閉ねじに連係する開閉ナットが設置され、開閉モータ５８は、ねじナットのペアによってシートの搬送方向に沿い開閉移動枠５６を並進させるように駆動する。並進板４１の上側に取付棒スライダが設置され、開閉取付棒４２は、取付棒スライダに摺動するように取り付けられ、取付棒は、シートの搬送方向に沿い設置され、開閉移動枠５６の上側は、開閉取付棒４２に連結され、開閉取付棒４２を同期しつつ移動させるように駆動し、開閉移動枠５６は、搬送取付板５２に摺動するように連結される。開閉取付棒４２の両端のいずれにも開閉案内板４３が設置され、開閉案内板４３の両側のいずれにも開閉案内部が設置され、開閉案内部は、シートの搬送方向に沿い徐々に内側への傾斜状であり、各搬送取付アーム４５の両端のいずれにも開閉案内輪４４が取り付けられ、２つの搬送取付アーム４５の間にさらに開閉案内輪４４と開閉案内板４３の開閉案内部とを貼り合わせする開閉バネが設置される。並進板４１にさらに取付アームガイドレールが取り付けられ、取付アームガイドレールは、開閉取付棒４２と垂直に設置され、搬送取付アーム４５は、開閉スライダによって取付アームガイドレールに摺動するように取り付けられる。
【００９８】
図１７〜１８に示すように、浄化モジュール５９は、浄化箱６１と、浄化箱６１内に設置されたコイル６７及びストレーナ６４とを含み、浄化箱６１は、直方体筐体であり、浄化箱６１の一側に浄化箱導入管６２が連結され、浄化箱６１の他側に浄化箱排気管が連結されており、浄化箱排気管と溶接室１８との間にファン６５が設置される。コイル６７は、浄化箱６１内に設置され、コイル６７にさらに給油箱６０が連結され、給油箱６０の排油口は、循環ポンプを介してコイル６７の一端と連通し、コイル６７の他端は、給油箱６０と連通して、冷却油の循環を実現する。浄化箱６１内にさらにコイル６７に連結されたフィン６８が設置され、それにより窒素ガスとより速く熱交換を行い、窒素ガスの温度を低減することができる。浄化箱６１の浄化箱排気管に近接する側にストレーナ取付箱６３が設置され、浄化箱の排気管は、ストレーナ取付箱６３によって浄化箱６１と連通し、ストレーナ６４は、ストレーナ取付箱６３内に垂直に設置され、冷却後の窒素ガスは、ストレーナ６４を通過した後に浄化箱排気管を介して排出され、再び溶接室１８内に輸送され、ストレーナ６４は、液化後のフラックスを濾過し、それにより窒素ガス内のフラックスヒュームを除去するのに用いられる。
【００９９】
浄化箱６１の下側にさらにフラックス回収バレル６６が設置され、浄化箱６１の下側は、フラックス回収バレル６６に近接する一端が他端より低い傾斜状であり、それにより降温し液化された液体をフラックス回収バレル６６内に流れ込むようにすることができる。
【０１００】
図１９に示すように、上記真空溶接炉制御システムの制御方法であって、以下のステップを含む。
【０１０１】
ステップ１００１：制御モジュールにより、炉蓋４が溶接室１８の上部を蓋合わせ、それを封止するように制御し、シールドガス導入管のスイッチをオンにさせ、溶接室１８内にシールドガスが充填されるように制御し、加熱領域がその上のシートを加熱するように制御し、冷却領域がその上のシートを冷却するように制御する。
【０１０２】
制御モジュールにより、主窒素ガス導入管５と副窒素ガス導入管１６とがそれぞれ溶接室１８に窒素ガスを充填し、窒素ガスが溶接室１８全体に充満させ、溶接室１８内の空気を完全に排出するように制御する。同時に、温度センサ３２は、データを制御モジュールにフィードバックし、制御モジュールは、リアルタイムに取得した温度に基づいて電気加熱管３１の加熱板３０に対する加熱を制御し、給水管２９の冷却板２８内への冷却水の供給を制御し、また、浄化モジュール５９のファン６５の起動を制御し、コイル６７に連結された循環ポンプの起動を制御することができる。
【０１０３】
ステップ１００２：制御モジュールにより、搬送機構２が複数のシートを供給端から排出端の方向へ搬送し、毎回所定の距離を搬送するように制御する。
【０１０４】
シートを供給台２１に載置し、昇降機構が搬送バー２４を下へ移動させるように駆動することを制御し、開閉機構が内側へシートに近接する位置に２本の搬送バー２４を移動させるように駆動し、供給台２１上の供給台退避口２１０１と位置合わせ、昇降機構が再び搬送バー２４を下へ移動させるように駆動し、支持部を供給台退避口２１０１内に位置するように制御し、続いて開閉機構が再び２本の搬送バー２４を内側へ移動させるように駆動し、支持部をシート両端の下側に移動させるように制御する。昇降機構は、搬送バー２４を上へ移動させるように駆動し、シートの持ち上げを完了させ、同時に供給端のバッフル板２７により供給端をオープンにさせ、並進機構が溶接室１８の排出端に近接する方向へ搬送バー２４を移動させるように駆動し、シートを溶接室１８内の加熱板３０に搬送するように制御する。搬送機構２は、逐次に搬送し、それによりシートを各加熱板３０により加熱した後、負圧吸引モジュール９の真下の加熱板３０に入る。
【０１０５】
ステップ１００３：搬送機構２が搬送操作を完了するたびに、負圧吸引モジュール９が降下し、加熱領域と囲み密閉した負圧チャンバを形成し、負圧チャンバに対して固定時間の負圧吸引又は真空吸引操作を行うように制御する。
【０１０６】
制御モジュールは、負圧吸引昇降シリンダ３５が密封板３６を下へ移動させるように駆動し、密封板３６とその真下の加熱板３０とが囲み密封した負圧チャンバに形成するように制御し、同時に負圧吸引管が負圧チャンバ内のガスを抽出し、負圧チャンバ内を負圧ないし真空状態に維持するように制御し、半田ペースト内の気泡が確実に溢れ出るようにし、溶接の品質を保証する。溶接完了後に負圧吸引昇降シリンダ３５は、密封板３６を上昇させるように駆動する。
【０１０７】
ステップ１００４：負圧吸引又は真空吸引操作を遂行した後、制御モジュールは、搬送機構２が排出端へシートを搬送し続けるように制御し、搬送機構２が排出端へシートを搬送し続けるように制御し、シートが順に各冷却板２８を介して冷却された後に排出台１９に移動し、シートの溶接を完了させる。
【０１０８】
以上の説明は、本発明の好ましい実施例に過ぎず、本発明に対するその他の形式による制限ではなく、如何なる当業者であっても、以上に開示された技術的内容により同等に変更された同等の実施例に変更又は変形することができる。但し、本発明の技術的解決手段の内容から逸脱することなく、本発明と均等の範囲で以上の実施例に対して行われる如何なる簡単な修正、同等の変更及び変形は、依然として本発明の技術的解決手段の保護範囲に属する。
【図１】
2021507814.tif 000003
【図２】
2021507814.tif 000004
【図３】
2021507814.tif 000005
【図４】
2021507814.tif 000006
【図５】
2021507814.tif 000007
【図６】
2021507814.tif 000008
【図７】
2021507814.tif 000009
【図８】
2021507814.tif 000010
【図９】
2021507814.tif 000011
【図１０】
2021507814.tif 000012
【図１１】
2021507814.tif 000013
【図１２】
2021507814.tif 000014
【図１３】
2021507814.tif 000015
【図１４】
2021507814.tif 000016
【図１５】
2021507814.tif 000017
【図１６】
2021507814.tif 000018
【図１７】
2021507814.tif 000019
【図１８】
2021507814.tif 000020
【図１９】
2021507814.tif 000021
【国際調査報告】
2021507814.tif 000022
2021507814.tif 000023
2021507814.tif 000024
2021507814.tif 000025
2021507814.tif 000026
2021507814.tif 000027